(57)【要約】      （修正有）【課題】寸法的に制限がある場所の配管に用いられる自封式弁部材において、内部の流体の流量を増加させることができ、略水平方向に配置された配管に用いられる自封式弁部材であって、内部に水残りがしない封式弁部材及び継ぎ手部材を提供する。【解決手段】自封式弁部材３及び継ぎ手部材２を、ケーシング２２の形状を軸方向視非円形形状としたことを特徴とする継ぎ手部材２と、継ぎ手部材２内に配置される自封式弁部材３であって、開口部３１の軸方向の形状を非円形形状として構成する。【選択図】図１１
2014105719.tif 000002
【特許請求の範囲】
【請求項１】
略垂直に配設された配管１に接続される継ぎ手部材であって、
内部に自封式弁部材が配置されるケーシング２２と、
上流からの流体がケーシング２２内に流入する流入部２３と、
ケーシング２２内の流体を下流へと流出させる流出部２４と、
から構成すると共に、
前記ケーシング２２の形状を軸方向視非円形形状としたことを特徴とする継ぎ手部材。
【請求項２】
前記継ぎ手部材内に配置される自封式弁部材であって、
上流側に形成された開口部３１と、
前記開口部３１から連続して形成され、先端が互いに当接する弾性の板状に形成された一対の弁体３３と、
から構成される自封式弁部材であって、
前記開口部３１の軸方向の形状を非円形形状としたことを特徴とする前記請求項１に記載の自封式弁部材。
【請求項３】
略水平に配設された配管１内に接続され、
上流側に形成された開口部３１と、
前記開口部３１から連続して形成され、先端が互いに当接する弾性の板状に形成された一対の弁体３３と、
から構成される自封式弁部材であって、
前記開口部３１の下面に、少なくとも一部が平面形状に構成されている底面部３２を備えると共に、
前記開口部３１の底面部３２から弁体３３方向へ向かって連続して下側の弁体３３を形成したことを特徴とする自封式弁部材。
【請求項４】
前記開口部３１の底面部３２を略平面形状とし、該底面部３２を弁体３３方向へ向かって連続して略平面形状に形成したことを特徴とする前記請求項３に記載の自封式弁部材。
【請求項５】
前記開口部３１の底面部３２に、弁体３３方向へ向かって溝部３７を構成したことを特徴とする前記請求項３に記載の自封式弁部材。
【請求項６】
前記開口部３１の底面部３２に、弁体３３へ向かって下方に傾斜する傾斜面３６を備えたことを特徴とする前記請求項３乃至請求項５のいずれか一つに記載の自封式弁部材。
【請求項７】
前記開口部３１の軸方向視において、弁体３３の当接面３４を底面部３２と略平行に配置したことを特徴とする前記請求項３乃至請求項６のいずれかひとつに記載の自封式弁部材。
【請求項８】
前記自封式弁部材が内部に配置される継ぎ手部材であって、
内部に自封式弁部材が配置されるケーシング２２と、
上流からの流体がケーシング２２内に流入する流入部２３と、
ケーシング２２内の流体を下流へと流出させる流出部２４と、
から構成すると共に、
前記ケーシング２２の下面を自封式弁部材の底面部３２形状と略合致する形状からなる下面部２２１としたことを特徴とする前記請求項３乃至請求項７のいずれか一つに記載の継ぎ手部材。
【請求項９】
前記自封式弁部材の開口部３１の形状、又はケーシング２２の軸方向に垂直な面での断面視形状が非円形形状としたことを特徴とする前記請求項１乃至請求項８のいずれか一つに記載の自封式弁部材及び継ぎ手部材。
【請求項１０】
前記ケーシング２２又は自封式弁部材を配管１に対し傾斜して配置したことを特徴とする前記請求項１乃至請求項９のいずれか一つに記載の自封式弁部材及び継ぎ手部材。
【請求項１１】
前記流入部２３及び流出部２４の形状を円形としたことを特徴とする前記請求項１乃至請求項２、又は請求項８乃至請求項１０のいずれか一つに記載の継ぎ手部材。
【発明の詳細な説明】
【技術分野】
【０００１】
本発明は、気体や液体等の流体の逆流防止や、排水管において封水を必要とせずに下流からの臭気などの逆流を防止する為に用いられる自封式弁部材及び継ぎ手部材に関する。
【背景技術】
【０００２】
従来よく知られた自封式弁部材としては、例えば図３５に示したものがある。この従来の自封式弁部材は、上方向から下方向へ向かって縦方向に流体が通過する流体管に用いられている。また、自封式弁部材は弾性を有する樹脂により形成されており、上流側の端部が開放された軸方向視円形の開口部が形成されるとともに、下流側の端部はこの開口部から連続して形成され側部が閉じられた一対の弁体の先端を重ねた形状となっている。これにより、外力が加わっていない場合及び下流側から圧力が加わった場合には、弁体の先端が重ね合わされた状態を維持して、下流からの臭気などの逆流を防ぎ、上流側から排水が流入した場合には、弁体の先端が離反して排水を下流側に流下させることができる。また、当該従来例の自封式弁体が配置されているのは断面視円形の管体内に配置されている。（特許文献１）
【０００３】
また、このほか従来よく知られた自封式弁部材としては、例えば図３６に示したものもある。この従来例の自封式弁部材は、略水平方向へ向かって横方向に流体が通過する流体管に用いられている。また、自封式弁部材は、弾性を有する樹脂により形成されており、上流側の端部が開放された軸方向視円形の開口部が形成されるとともに、下流側の端部はこの開口部から連続して形成され側部が閉じられた一対の弁体の先端を重ねた形状となっている。このとき、軸方向視弁体の当接面は三日月形状をしている。従って、断面視下側の弁体は管体の底面に沿うように配置され、その下側弁体に重ねて上側弁体が位置している。これにより、外力が加わっていない場合及び下流側から圧力が加わった場合には、弁体の先端が重ね合わされた状態を維持して、下流からの臭気などの逆流を防ぎ、上流側から排水が流入した場合には、弁体の先端が離反して排水を下流側に流下させることができる。（特許文献２）
【０００４】
また、このほか従来よく知られた自封式弁部材としては、例えば図３７に示したものもある。この従来例の自封式弁部材は、略水平方向へ向かって横方向に流体が通過する流体管に用いられている。また、自封式弁部材は、弾性を有する樹脂により形成されており、上流側の端部が開放された軸方向視円形の開口部が形成されるとともに、下流側の端部はこの開口部から連続して形成され側部が閉じられた一対の弁体の先端を重ねた形状となっている。このとき、軸方向視弁体の当接面は管体の下面に近い箇所で水平に配置されている。従って、断面視弁体は管体の底面に沿うように配置される。これにより、外力が加わっていない場合及び下流側から圧力が加わった場合には、弁体の先端が重ね合わされた状態を維持して、下流からの臭気などの逆流を防ぎ、上流側から排水が流入した場合には、弁体の先端が離反して排水を下流側に流下させることができる。（特許文献３）
【先行技術文献】
【特許文献】
【０００５】
【特許文献１】実公昭６０−２４７８８号公報
【特許文献２】特表２００２−５００３３２号公報
【特許文献３】特開２０１２−１３２２３１号公報
【発明の概要】
【発明が解決しようとする課題】
【０００６】
排水管、給水管、通気管などの流体管において一般的に要求される事項として排水流量や給水流量等の増加があげられる。しかしながら、一般的に、排水管、給水管、通気管などの流体管が配置される場所は、床下や壁面、天井裏などに施工される場合が多く、設置個所によって高さ寸法や横幅寸法などが制限されてしまうことが多い。
また、前記した従来例（特許文献１）の一般的な自封式弁部材の形状であると、管体の形状が軸方向視円形であることと、自封式弁部材の弁体が開口した面積分しか排水などの流体が通過しないため、その分排水流量が悪化する。よって、自封式弁部材を用いた配管において、排水などの流量を増加させる必要があった。
また、管体を略水平方向に配置した場合においても自封式弁部材を使用するが、前記特許文献１に記載の自封式弁部材を用いると、弁体の当接面が軸方向視中心を通る直線状に構成される為、断面視当接面が管体の底面より上方に配置されてしまい、管体の下面から弁体の当接面まで高さが出来、管体の下面から弁体の当接面までの高さ分まで水残りが発生してしまう。弁体の下流もしくは上流部分に水残りが発生してしまう。よって内部に異臭やゴミが対流してゴミ詰まりやヌメリ発生などの問題がある。
そこで、特許文献２の自封式弁部材を略水平の管体に用いれば、弁体の当接面が管体の最下面に位置するため水残りがしないように見受けられるが、当該自封式弁部材は、円形の開口部から連続して構成される為、弁体の当接面が軸方向視三日月形状となっており、当該三日月状の弁体の当接面は、無理な曲面状の曲げ応力が既に加わっている。相当な水圧や気圧が加わらないと弁体の当接面が開かない。そうすると、流体が弱流であったり、少量の水量であれば弁体が開口せず、本来の自封式弁部材としての機能を果たせないこととなる。
また、特許文献３に記載の自封式弁部材であれば、上記特許文献２のように弁体の当接面が直線状に構成されているため少量の水量であったり水圧が弱くても弁体は開口するが、当該自封式弁部材は開口部が軸方向視円形状であるため、出来るだけ弁体の当接面を管体の下面に近づけようとしているものの、形状的に管体の下面よりも上方に弁体の当接面を配置しないと構成できない。管体の下面と同じ高さに弁体の当接面を配置しようとした場合、開口は点になってしまう。従って、やはり弁体の当接面（開閉面）は管体よりも若干上方に位置してしまい、その分、弁体の上流または下流に弁体の当接面までの高さ分水残りが派生してしまうという問題があった。
【０００７】
以上のことから、本願発明は以下の点課題を解決する。
１．寸法的に制限がある場所の配管に用いられる自封式弁部材において、内部の流体の流量を増加させることのできる自封式弁部材とその継ぎ手部材。
２．略水平方向に配置された配管に用いられる自封式弁部材であって、内部に水残りがしない自封式弁部材。
【課題を解決するための手段】
【０００８】
請求項１に記載の自封式弁部材及び継ぎ手部材は、略垂直に配設された配管１に接続される継ぎ手部材であって、内部に自封式弁部材が配置されるケーシング２２と、上流からの流体がケーシング２２内に流入する流入部２３と、ケーシング２２内の流体を下流へと流出させる流出部２４と、から構成すると共に、前記ケーシング２２の形状を軸方向視非円形形状としたことを特徴とする継ぎ手部材である。
【０００９】
請求項２に記載の自封式弁部材及び継ぎ手部材は、前記継ぎ手部材内に配置される自封式弁部材であって、上流側に形成された開口部３１と、前記開口部３１から連続して形成され、先端が互いに当接する弾性の板状に形成された一対の弁体３３と、から構成される自封式弁部材であって、前記開口部３１の軸方向の形状を非円形形状としたことを特徴とする前記段落０００８に記載の自封式弁部材である。
【００１０】
請求項３に記載の自封式弁部材及びその継ぎ手部材は、略水平に配設された配管１内に接続され、上流側に形成された開口部３１と、前記開口部３１から連続して形成され、先端が互いに当接する弾性の板状に形成された一対の弁体３３と、から構成される自封式弁部材であって、前記開口部３１の下面に、少なくとも一部が平面形状に構成されている底面部３２を備えると共に、前記開口部３１の底面部３２から弁体３３方向へ向かって連続して下側の弁体３３を形成したことを特徴とする自封式弁部材である。
【００１１】
請求項４に記載の自封式弁部材及び継ぎ手部材は、前記開口部３１の底面部３２を略平面形状とし、該底面部３２を弁体３３方向へ向かって連続して略平面形状に形成したことを特徴とする前記段落００１０に記載の自封式弁部材である。
【００１２】
請求項５に記載の自封式弁部材及び継ぎ手部材は、前記開口部３１の底面部３２に、弁体３３方向へ向かって溝部３７を構成したことを特徴とする前記段落００１０に記載の自封式弁部材である。
【００１３】
請求項６に記載の自封式弁部材及び継ぎ手部材は、前記開口部３１の底面部３２に、弁体３３へ向かって下方に傾斜する傾斜面３６を備えたことを特徴とする前記段落００１０乃至段落００１２のいずれか一つに記載の自封式弁部材である。
【００１４】
請求項７に記載の自封式弁部材及び継ぎ手部材は、前記開口部３１の軸方向視において、弁体３３の当接面３４を底面部３２と略平行に配置したことを特徴とする前記段落００１０乃至段落００１３のいずれかひとつに記載の自封式弁部材である。
【００１５】
請求項８に記載の自封式弁部材及び継ぎ手部材は、前記自封式弁部材が内部に配置される継ぎ手部材であって、内部に自封式弁部材が配置されるケーシング２２と、上流からの流体がケーシング２２内に流入する流入部２３と、ケーシング２２内の流体を下流へと流出させる流出部２４と、から構成すると共に、前記ケーシング２２の下面を自封式弁部材の底面部３２形状と略合致する形状からなる下面部２２１としたことを特徴とする前記段落００１０乃至段落００１４のいずれか一つに記載の継ぎ手部材である。
【００１６】
請求項９に記載の自封式弁部材及び継ぎ手部材は、前記自封式弁部材の開口部３１の形状、又はケーシング２２の軸方向に垂直な面での断面視形状が非円形形状としたことを特徴とする前記段落０００８乃至段落００１５のいずれか一つに記載の自封式弁部材及び継ぎ手部材である。
【００１７】
請求項１０に記載の自封式弁部材及び継ぎ手部材は、前記ケーシング２２又は自封式弁部材を配管１に対し傾斜して配置したことを特徴とする前記段落０００８乃至段落００１６のいずれか一つに記載の自封式弁部材及び継ぎ手部材である。
【００１８】
請求項１１に記載の自封式弁部材及び継ぎ手部材は、前記流入部２３及び流出部２４の形状を円形としたことを特徴とする前記段落０００８乃至段落０００９、又は段落００１５乃至段落００１７のいずれか一つに記載の継ぎ手部材である。
【発明の効果】
【００１９】
請求項１に記載の本発明は、内部に自封式弁部材３が配置されるケーシング２２と、上流からの流体がケーシング２２内に流入する流入部２３と、ケーシング２２内の流体を下流へと流出させる流出部２４と、ケーシング２２の形状を軸方向視非円形形状としたことから、管体１の形状より継ぎ手部材２であるケーシング２２を拡大させることができ、内部の体積及び排水や気体の通過面積が大きくなる為、内部に自封式弁部材３を設置したとしても、排水や気体の流量を増加させることができるようになった。
請求項２に記載の本発明は、継ぎ手部材２内に配置される自封式弁部材３であって、前記開口部３１の軸方向の形状を非円形形状としたことから、自封式弁部材３の弁体３３の開口面積も従来の開口部３１が円形形状と比較して弁体３３の開口面積が大きくなる為、排水流量や気体の流量が向上した。
請求項３に記載の本発明は、略水平に配設された配管１内に設置され、開口部３１の下面に、少なくとも一部が平面形状に構成されている底面部３２を備えると共に、前記開口部３１の底面部３２から弁体３３方向へ向かって連続して下側の弁体３３を形成したことから、自封式弁部材３を略水平の配管１内に設置しても、管内下面から弁体３３である当接面３４までの高さが下面と略同一となる為、管内に水残りがなくなり、異臭やゴミ詰まりの問題が無くなった。また、特許文献２の従来例のように、軸方向視当接面３４の形状が円形から連続して屈曲して構成された三日月状の当接面３４とした場合の弁体３３の開閉の不自由さも解消された。
請求項４に記載の本発明は、自封式弁部材３の開口部３１の底面部３２を略平面形状とし、該底面部３２を弁体３３方向へ向かって連続して略平面形状に形成したことから、自封式弁部材３を略水平の配管１内に設置しても、管内下面から弁体３３である当接面３４までの高さが下面と略同一となる為、管内に水残りがなくなり、異臭やゴミ詰まりの問題が無くなった。
請求項５に記載の本発明は、自封式弁部材３の開口部３１の底面部３２に、弁体３３方向へ向かって溝部３７を構成したことから、自封式弁部材３を略水平の配管１内に設置しても、溝部３７の最下面が管内の下面高さと略同一となる為、管内に水残りがなくなり、異臭やゴミ詰まりの問題が無くなった。
請求項６に記載の本発明は、自封式弁部材３の開口部３１の底面部３２に、弁体３３へ向かって下方に傾斜する傾斜面３６を備えたことから、自封式弁部材３を略水平の配管１内に設置しても、管内下面から弁体３３である当接面３４までの高さが下面と略同一となるか、それ以上に低くなる為、管内に水残りがなくなり、異臭やゴミ詰まりの問題が無くなった。
請求項７に記載の本発明は、自封式弁部材３の開口部３１の軸方向視において、弁体３３の開閉面を底面部３２と略平行に配置したことから、開口部３１の軸方向視弁体３３の下面を底面部３２に対して略垂直に配置したときと比較して、弁体３３の開口面積が大きくなる為、流体の流量（排水流量）が増加した。
請求項８に記載の本発明は、自封式弁部材３が内部に配置される継ぎ手部材２であって、ケーシング２２の下面を自封式弁部材３の底面部３２形状と略合致する形状からなる下面部２２１としたことから、継ぎ手部材２内部に無駄な空間ができない為、排水流量が増加し、無駄な部分の削減となる為、配管１が設置される場所における省スペースにもなる。
請求項９に記載の本発明は、前記自封式弁部材３の開口部３１の形状、又はケーシング２２の軸方向に垂直な面での断面視形状が非円形形状としたことから、従来の開口部３１が円形形状の自封式弁部材３と比較して、内部の流体の流量（排水流量）が増加した。
請求項１０に記載の本発明は、ケーシング２２又は自封式弁部材３を配管１に対し傾斜して配置したことから、自封式弁部材３を略水平に配管１内に設置しても、管内下面から弁体３３である当接面３４までの高さが下面と略同一となるか、それ以上に低くなる為、管内に水残りがなくなり、異臭やゴミ詰まりの問題が無くなった。
請求項１１に記載の本発明は、前記流入部２３及び流出部２４の形状を円形としたことから、非円形のケーシング２２及び自封式弁部材３を用いても、円形の管体１に継ぎ手部材２として途中ジョイントして配置させることができるようになった。
【図面の簡単な説明】
【００２０】
【図１】実施例１の継ぎ手部材の斜視図である。
【図２】実施例１の分解斜視図である。
【図３】実施例１の継ぎ手部材及び自封式弁体をセット時の断面斜視図である。
【図４】（ａ）実施例１の継ぎ手部材の軸方向上面視である。（ｂ）実施例１の継ぎ手部材の側面図である。
【図５】（ａ）実施例１の自封式弁体の軸方向上面図である。（ｂ）実施例１の自封式弁体の側面図である。（ｃ）実施例１の自封式弁体の底面図である。
【図６】実施例１の自封式弁体の断面斜視図である。
【図７】実施例１の自封式弁体の斜視図である。
【図８】実施例１の断面図である。
【図９】実施例１の図８における排水が通水時を示す断面図である。
【図１０】実施例２の継ぎ手部材の斜視図である。
【図１１】実施例２の継ぎ手部材及び自封式弁体をセット時の断面斜視図である。
【図１２】実施例２の分解斜視図（断面）である。
【図１３】実施例２の分解斜視図である。
【図１４】（ａ）実施例２の自封式弁体の軸方向弁体側の側面図である。（ｂ）実施例２の自封式弁体の上面図である。（ｃ）実施例２の自封式弁体の底面図である。
【図１５】実施例２の自封式弁体の断面斜視図である。
【図１６】実施例２の自封式弁体の斜視図である。
【図１７】実施例２の自封式弁体の断面図である。
【図１８】実施例２の図１７における排水が通水時を示す断面図である。
【図１９】実施例３の自封式弁体の断面図である。
【図２０】（ａ）実施例３の自封式弁体の軸方向開口部側の側面図である。（ｂ）実施例３の自封式弁体の上面図である。（ｃ）実施例３の自封式弁体の軸方向視弁体側の側面図である。
【図２１】実施例３の自封式弁体の断面斜視図である。
【図２２】実施例３の自封式弁体の斜視図である。
【図２３】実施例３の図１９における排水が通水時を示す断面図である。
【図２４】自封式弁体のその他の実施例を示す図である。（ａ）軸方向弁体側の側面図である。（ｂ）軸方向開口部側の側面図である。（ｃ）底面図である。
【図２５】自封式弁体の図２４の実施例を示す図である。（ａ）斜視図である。（ｂ）（ｃ）断面斜視図である。
【図２６】自封式弁体のその他の実施例を示す図である。（ａ）上面図である。（ｂ）軸方向弁体側の側面図である。
【図２７】自封式弁体の図２６の実施例を示す図である。（ａ）断面図である（ｂ）（ｃ）断面斜視図である。
【図２８】自封式弁体の図２６の実施例を示す斜視図である。
【図２９】自封式弁体のその他の実施例を示す図である。（ａ）軸方向開口部側の側面図である。（ｂ）上面図である。（ｃ）軸方向弁体側の側面図である。
【図３０】自封式弁体の図２９の実施例を示す図である。（ａ）断面図である（ｂ）（ｃ）断面斜視図である。
【図３１】自封式弁体の図２９の実施例を示す斜視図である。
【図３２】継ぎ手部材のその他の実施例を示す図である（ａ）斜視図である。（ｂ）側面図である。
【図３３】その他の実施例（具体的には洗面台のオーバーフローアダプター部分）を示す図である。
【図３４】その他の実施例（具体的には浴室の排水トラップ）を示す図である。
【図３５】従来例（特許文献１）を示す図である。
【図３６】従来例（特許文献２）を示す図である。
【図３７】従来例（特許文献３）を示す図である。
【発明を実施するための形態】
【実施例１】
【００２１】
以下に図１乃至図９に図示した自封式弁部材３及び継ぎ手部材２の実施例を、図面を参照しつつ説明する。
図１乃至図９の実施例の自封式弁部材３及び継ぎ手部材２は、図示しないが洗面台の排水配管に用いられるものである。この場合において、自封式弁部材３は、下水からの異臭や害虫が室内側に逆流しないようシールする排水トラップとして用いられる。
配管１は、洗面台のボウルに構成された排水口に接続される管体１であって、排水口から床面にむかって縦方向に垂下するように配管される円形の管体１である。また、本実施例では、流入部２３に接続される側の端部には、外側方向にむけて凸出するフランジを構成する。尚、該フランジは管体１に一体的に構成しても良いし、パッキンやリング状部材などで後付してもかまわない。
継ぎ手部材２は、図１乃至図４に示したように配管１の途中に接続される部材であって、後記するケーシング２２、流入部２３、流出部２４、を備える。
流入部２３は、ケーシング２２上流に配置され、前記管体１が接続される円筒状の部材であって、管体１から流入した排水を、ケーシング２２内部に流入させる為の構成要素である。
流出部２４は、ケーシング２２下流に配置され、前記管体１が接続される円筒状の部材であって、ケーシング２２内部の排水を、管体１下流側へと排水させる為の構成要素である。
ケーシング２２は、軸方向の断面視楕円形状の箱体であって、軸方向上流側に前記流入部２３を構成し、軸方向下流側に前記流出部２４を構成する。尚、本実施例では、ケーシング２２を上部及び下部で構成しており、両者は接着剤等で水密的に接続される。また、内部に自封式弁部材３を配置している。
自封式弁部材３は、図５乃至図７に示したように後記する開口部３１と弁体３３からなり、前記継ぎ手部材２のケーシング２２内部に配置される。また、自封式弁部材３は、ゴムや軟質樹脂、シリコンなどの弾性を備える材質から成る。
開口部３１は、自封式弁部材３の上流側に構成される構成要素であって、軸方向視楕円形状を成し、外側面が前記ケーシング２２の内側面と略合致する形状となっている。また、開口部３１の上端部には、ケーシング２２に取付固定するための取付部３５を外側方向に向けて突出するようにして一体的に構成される。
弁体３３は、自封式弁部材３の下流側に構成される構成要素であって、前記開口部３１から連続して形成され、先端が互いに当接する弾性の板状に形成された一対の弁状部分である。また、弁体３３は常時水密的に当接して当接面３４を構成しており、排水が発生した際には排水の水圧または水流により弁体３３の当接が解除され、弁体３３が開口して、弁体３３の開口部３１から排水が通過するように構成される。
【００２２】
上記の自封式弁部材３又は継ぎ手部材２は以下のように配置・構成される。
図２乃至図３のように予め工場などで、継ぎ手部材２のケーシング２２下部内に自封式弁部材３をセッティングする。この際に、自封式弁部材３の開口部３１がケーシング２２下部の流入部２３側に、そして弁体３３側はケーシング２２の流出部２４側に配置する。このとき、開口部３１はケーシング２２内壁に略合致した形状となっている。また、自封式弁部材３の取付部３５を、管体１のフランジに巻き付かせて取付け、ケーシング２２の上部をケーシング２２下部に接着剤によって水密的に接続する。このとき、前記自封式弁部材３の取付部３５を挟むようにして取り付けるので、自封式弁部材３がケーシング２２より脱落するようなことがない。そして、施工現場にて、洗面台に接続される管体１に継ぎ手部材２の流入部２３を水密的に接続し、その後、下流側の管体１に継ぎ手部材２の流出部２４を水密的に接続する。このようにして自封式弁部材３及び継ぎ手部材２の配置を行う。
【００２３】
上記の構成の自封式弁部材３及び継ぎ手部材２では以下のような排水の流れとなる。
通常時、自封式弁部材３の弁体３３は水密的に閉口した状態である。
洗面台に排水が発生すると、洗面ボウルの排水口から排水が排出され、排水口に接続された管体１内に排出される。その後、管体１内の排水は継ぎ手部材２の流入部２３から継ぎ手部材２内部に流入する。そして流入部２３からケーシング２２内部に排水が流入し、自封式弁部材３の開口部３１に流入して弁体３３に流入する。排水の水圧により弁体３３が開口し、図９のように当接面３４が解除される。弁体３３が開口した分、排水が下流側へと排水されることとなる。そして、自封式弁部材３を通過した排水はケーシング２２内から流出部２４へと排水され、流出部２４から継ぎ手部材２外である管体１下流へと排水される。管体１内に排水された排水は最終的には下水管へと排水される。
また、排水が終了すると、図８のように自封式弁部材３の弁体３３は自身の弾性もしくは復元力により自動的に閉口し、弁体３３同士の当接により当接面３４が構成される。そして、弁体３３が閉口するので、下水下流からの異臭や害虫が室内側に逆流することがない。
【実施例２】
【００２４】
以下に第二実施例の自封式弁部材３及び継ぎ手部材２の実施例を、図面を参照しつつ説明する。
図１０乃至図１８の実施例の自封式弁部材３及び継ぎ手部材２は、図示しないが浴室の排水配管に用いられるものである。
この場合において、自封式弁部材３は、下水からの異臭や害虫が室内側に逆流しないようシールする排水トラップとして用いられる。
配管１は、浴室の排水口に接続される管体１であって、床下の配管空間内に配置される。また、浴室の排水口から側面方向に略水平に配管される円形の管体１である。尚、このとき、管体１には排水勾配が設定されている。また、本実施例では、流入部２３に接続される側の端部には、外側方向にむけて凸出するフランジを構成する。尚、該フランジは管体１に一体的に構成しても良いし、パッキンやリング状部材などで後付してもかまわない。
継ぎ手部材２は、図１０のように配管１の途中に接続される部材であって、後記するケーシング２２、流入部２３、流出部２４、を備える。
流入部２３は、ケーシング２２上流に配置され、前記管体１が接続される円筒状の部材であって、管体１から流入した排水を、ケーシング２２内部に流入させる為の構成要素である。
流出部２４は、ケーシング２２下流に配置され、前記管体１が接続される円筒状の部材であって、ケーシング２２内部の排水を、管体１下流側へと排水させる為の構成要素である。
ケーシング２２は、軸方向の断面視楕円形状の箱体であって、軸方向上流側に前記流入部２３を構成し、軸方向下流側に前記流出部２４を構成する。このケーシング２２は、配管後に下面となる内壁面に、流入部２３から流出部２４へ向かって連続する略平面形状の下面部２２１を構成する。尚、本実施例では、ケーシング２２を上部及び下部で構成しており、両者は接着剤等で水密的に接続される。また、内部に自封式弁部材３を配置している。
自封式弁部材３は、図１４乃至図１６に示すように後記する開口部３１と弁体３３からなり、前記継ぎ手部材２のケーシング２２内部に配置される。また、自封式弁部材３は、ゴムや軟質樹脂、シリコンなどの弾性を備える材質から成る。
開口部３１は、自封式弁部材３の上流側に構成される構成要素であって、軸方向視楕円形状を成し、外側面が前記ケーシング２２の内側面と略合致する形状となっている。そして、自封式弁部材３が略水平方向に配置された際の開口部３１の下面となる内面に、弁体３３方向へ向かって連続して略平面形状に形成した底面部３２を備える。
また、開口部３１の上流側端部には、ケーシング２２に取付固定するための取付部３５を外側方向に向けて突出するようにして一体的に構成される。
弁体３３は、自封式弁部材３の下流側に構成される構成要素であって、前記開口部３１から連続して形成され、先端が互いに当接する弾性の板状に形成された一対の弁状部材である。また、開口部３１の底面部３２から弁体３３方向へ向かって平面形状、直線形状に連続して下側の弁体３３を形成している。そして、自封式弁部材３の弁体３３（閉口時）の当接面３４は、軸方向視底面部３２に平行となるように構成される。また、流入部２３の下面は、自封式弁部材３の底面部３２と略同一高さ、すなわち略水平面となっている。
弁体３３は常時水密的に当接して当接面３４を構成しており、排水が発生した際には排水の水圧または水流により弁体３３の当接が解除され、弁体３３が開口して、弁体３３の開口部３１から排水が通過するように構成される。
【００２５】
上記の自封式弁部材３又は継ぎ手部材２は以下のように配置・構成される。
図１１乃至図１３のように、予め工場などで、継ぎ手部材２のケーシング２２下部内に自封式弁部材３をセッティングする。この際に、自封式弁部材３の開口部３１がケーシング２２下部の流入部２３側に、そして弁体３３側はケーシング２２の流出部２４側に配置する。このとき、開口部３１はケーシング２２内壁に略合致した形状となっている。そして、継ぎ手部材２の下面部２２１上に、自封式弁部材３の底面部３２及び下側弁体３３が配置されるので、継ぎ手部材２内部の底面は実質平面形状となっている。また、流入部２３の下面は、自封式弁部材３の底面部３２と略同一高さ、すなわち略水平面となっている。
また、自封式弁部材３の取付部３５を、管体１のフランジに巻き付かせて取付け、ケーシング２２の上部をケーシング２２下部に接着剤によって水密的に接続する。このとき、前記自封式弁部材３の取付部３５を挟むようにして取り付けるので、自封式弁部材３がケーシング２２より脱落するようなことがない。そして、施工現場にて、浴室の排水口に接続される管体１に継ぎ手部材２の流入部２３を水密的に接続し、その後、下流側の管体１に継ぎ手部材２の流出部２４を水密的に接続する。このようにして自封式弁部材３及び継ぎ手部材２の配置を行う。
【００２６】
上記の構成の自封式弁部材３及び継ぎ手部材２では以下のような排水の流れとなる。
通常時、自封式弁部材３の弁体３３は水密的に閉口した状態である。
浴室に排水が発生すると、浴室の排水口から排水が排出され、排水口に接続された管体１内に排出される。その後、管体内の排水は継ぎ手部材２の流入部２３から継ぎ手部材２内部に流入する。そして流入部２３からケーシング２２内部に排水が流入し、自封式弁部材３の開口部３１から弁体３３に流入する。このとき、流入部２３から底面部３２、及び弁体３３まで連続して略平面形状、すなわち略水平面となっているため、排水は遮蔽物によって阻害されることなく円滑に弁体３３まで流れ着く。そして図１８のように排水の水圧により弁体３３が開口し、当接面３４が解除される。弁体３３が開口した分、排水が下流側へと排水されることとなる。そして、自封式弁部材３を通過した排水はケーシング２２内から流出部２４へと排水され、流出部２４から継ぎ手部材２外である管体１下流へと排水される。管体１内に排水された排水は最終的には下水管へと排水される。このとき、弁体３３の当接面３４は底面部３２と平行且つ、底面部３２から連続して構成されてケーシング２２下面と略同一面となっている為、排水が弁体３３の当接面３４までの高さ分水残りがするといった問題が無い。また、弁体３３の当接面３４の向きを、軸方向視底面部３２と平行に構成しているので、軸方向視底面部３２に対して垂直に配置した時と比較して開口面積が大きくなり、排水流量が向上する。これは、ケーシング２２及び自封式弁部材３の開口部３１の形状が楕円である為、長辺と短辺方向が存在するので、自封式弁部材３の弁体３３当接面３４の向きを、短辺方向にするよりも長辺方向にしたほうが、弁体３３の開口面積が大きくなる為である。
また、排水が終了すると、図１７のように自封式弁部材３の弁体３３は自身の弾性もしくは復元力により自動的に閉口し、弁体３３同士の当接により当接面３４が構成される。そして、弁体３３が閉口するので、下水下流からの異臭や害虫が室内側に逆流することがない。
【実施例３】
【００２７】
以下に第三実施例の自封式弁部材３及び継ぎ手部材２の実施例を、図面を参照しつつ説明する。
図１９乃至図２３の実施例の自封式弁部材３及び継ぎ手部材２は、図示しないが浴室の排水配管に用いられるものである。
尚、本実施例において、自封式弁部材３及び継ぎ手部材２の構成は第二実施例と同一の為省略する。
継ぎ手部材２は、図１９のように配管１の途中に接続される部材であって、後記するケーシング２２、流入部２３、流出部２４、を備える。
流入部２３は、ケーシング２２上流に配置され、前記管体１が接続される円筒状の部材であって、管体１から流入した排水を、ケーシング２２内部に流入させる為の構成要素である。
流出部２４は、ケーシング２２下流に配置され、前記管体１が接続される円筒状の部材であって、ケーシング２２内部の排水を、管体１下流側へと排水させる為の構成要素である。
ケーシング２２は、軸方向の断面視楕円形状の箱体であって、軸方向上流側に前記流入部２３を構成し、軸方向下流側に前記流出部２４を構成する。このケーシング２２は、配管後に下面となる内壁面に、流入部２３から流出部２４へ向かって平面形状の下面部２２１を構成する。当該下面部２２１は、途中位置で、流入部２３から流出部２４へ向かって下がる傾斜を備えている。つまり、流入部２３と流出部２４の中心軸はほぼ平行で、流入部２３、流出部２４に対しケーシング２２の下面部２２１は角度を持って形成されている。尚、本実施例では、ケーシング２２を上部及び下部で構成しており、両者は接着剤等で水密的に接続される。また、内部に自封式弁部材３を配置している。
自封式弁部材３は、図２０乃至図２２のように後記する開口部３１と弁体３３からなり、前記継ぎ手部材２のケーシング２２内部に配置される。また、自封式弁部材３は、ゴムや軟質樹脂、シリコンなどの弾性を備える材質から成る。
開口部３１は、自封式弁部材３の上流側に構成される構成要素であって、軸方向視楕円形状を成し、外側面が前記ケーシング２２の内側面と略合致する形状となっている。そして、自封式弁部材３が略水平方向に配置された際の開口部３１の下面となる内面に、弁体３３方向へ向かって連続して略平面形状に形成した底面部３２を備える。この底面部３２は、本実施例に置いては途中箇所で開口部３１から弁体３３へむかって下方向に傾斜する傾斜を構成している。
また、開口部３１の上流側端部には、ケーシング２２に取付固定するための取付部３５を外側方向に向けて突出するようにして一体的に構成される。
弁体３３は、自封式弁部材３の下流側に構成される構成要素であって、前記開口部３１から連続して形成され、先端が互いに当接する弾性の板状に形成された一対の弁状部分である。また、本実施例では、底面部３２は水平面に対し下方に向かって傾斜する傾斜面３６を備えて構成されている。また、流入部２３の下面は、自封式弁部材３の底面部３２と略同一高であり、更に弁体３３の当接面３４は流入部２３の下面よりさらに低い面に配置される。
弁体３３は常時水密的に当接して当接面３４を構成しており、排水が発生した際には排水の水圧または水流により弁体３３の当接が解除され、弁体３３が開口する。弁体３３の開口部３１から排水が通過するように構成される。
【００２８】
上記の自封式弁部材３又は継ぎ手部材２は以下のように配置・構成される。
図１９のように、予め工場などで、継ぎ手部材２のケーシング２２下部内に自封式弁部材３をセッティングする。この際に、自封式弁部材３の開口部３１がケーシング２２下部の流入部２３側に、そして弁体３３側はケーシング２２の流出部２４側に配置する。このとき、開口部３１はケーシング２２内壁に略合致した形状となっている。そして、継ぎ手部材２の下面部２２１上に、自封式弁部材３の底面部３２及び下側弁体３３が配置されるので、継ぎ手部材２内部の底面は途中傾斜面３６が備えられているものの実質略同一面となっている。また、流入部２３の下面は、自封式弁部材３の底面部３２と略同一高であり、更に弁体３３の当接面３４は流入部２３の下面よりさらに低い面に配置される。
また、自封式弁部材３の取付部３５を、管体１のフランジに巻き付かせて取付け、ケーシング２２の上部をケーシング２２下部に接着剤によって水密的に接続する。このとき、前記自封式弁部材３の取付部３５を挟むようにして取り付けるので、自封式弁部材３がケーシング２２より脱落するようなことがない。そして、施工現場にて、浴室の排水口に接続される管体１に継ぎ手部材２の流入部２３を水密的に接続し、その後、下流側の管体１に継ぎ手部材２の流出部２４を水密的に接続する。このようにして自封式弁部材３及び継ぎ手部材２の配置を行う。
【００２９】
上記の構成の自封式弁部材３及び継ぎ手部材２では以下のような排水の流れとなる。
通常時、自封式弁部材３の弁体３３は水密的に閉口した状態である。
浴室に排水が発生すると、浴室の排水口から排水が排出され、排水口に接続された管体１内に排出される。その後、管体１内の排水は継ぎ手部材２の流入部２３から継ぎ手部材２内部に流入する。そして流入部２３からケーシング２２内部に排水が流入し、自封式弁部材３の開口部３１から弁体３３に流入する。このとき、流入部２３から自封式弁部材３の開口部３１の底面部３２、更に弁体３３まで傾斜面３６を備えた平面形状となっているため、排水は遮蔽物によって阻害されることなく円滑に弁体３３まで流れ着く。そして図２３のように排水の水圧により弁体３３が開口し、当接面３４が解除される。弁体３３が開口し、排水が下流側へと排水されることとなる。そして、自封式弁部材３を通過した排水はケーシング２２内から流出部２４へと排水され、流出部２４から継ぎ手部材２外である管体１下流へと排水される。管体１内に排水された排水は最終的には下水管へと排水される。このとき、弁体３３の当接面３４は底面部３２と平行且つ、底面が傾斜面３６となっている為、排水が弁体３３の当接面３４までの高さ分水残りがするといった問題が無い。また、弁体３３の当接面３４の向きを、軸方向視底面部３２と平行に構成しているので、軸方向視底面部３２に対して垂直に配置した時と比較して開口面積が大きくなり、排水流量が向上する。これは、ケーシング２２及び自封式弁部材３の開口部３１の形状が楕円である為、長辺と短辺方向が存在するので、自封式弁部材３の弁体３３当接面３４の向きを、短辺方向にするよりも長辺方向にしたほうが、弁体３３の開口面積が大きくなる為である。
また、排水が終了すると、図１９のように自封式弁部材３の弁体３３は自身の弾性もしくは復元力により自動的に閉口し、弁体３３同士の当接により当接面３４が構成される。そして、弁体３３が閉口するので、下水下流からの異臭や害虫が室内側に逆流することがない。
【００３０】
本発明は前記した実施例のほか、特許請求の範囲を越えない範囲で適宜変更は可能である。
例えば、図２４又は図２５に示したように、自封式弁部材３の弁体３３に、軸方向視下側方向に向かって凹む溝部３７を構成しても良い。底面部３２より更に下方に溝部３７が凹んで構成されているので、弁体３３の当接面３４の高さも溝部３７に合わせて下方に凹む為、当接面３４の高さまでの排水の水残りが発生することがない。また、この実施例においては、継ぎ手部材２のケーシング２２も自封式弁部材３の溝部３７と合致するように合わせて溝部３７を構成しても良い。また、このとき、図２６乃至図２８に示したように上側の弁体３３側にも溝部を（下側の弁体３３の溝部３７に合致するように）構成しても良い。とこのようにすることで、更に弁体３３の開口性能が向上する。
また、上記実施例では自封式弁部材３の開口部３１の軸方向視形状及び継ぎ手部材２のケーシング２２の軸方向視形状を楕円形状としているが、これは非円形形状であればかまわない。例えば、軸方向視形状を四角形、長方形や多角形形状、正方形等にしてもかまわない。
また、前記実施例では浴室及び洗面台に自封式弁部材３及び継ぎ手部材２を使用しているが、これに限定されるものではなく、台所やトイレ等の排水管に用いられてもよいし、排水縦管に用いられても構わない。また、排水管に使用されているが、上水管に用いてもよいし、通気管やガス管等の気体が用いられる管体１に用いられても良い。
そのほか、自封式弁体２の形状を、図２９乃至図３１のように開口部３１から弁体３３にかけて、上面視傾斜するように構成してもよい。
また、継ぎ手部材２の形状を、図３２のように自封式弁体２の形状に合わせてケーシング後端を傾斜するように構成しても構わない。このようにすることでケーシング内部の排水の乱流を防ぐことが出来る。
また、前記実施例では自封式弁部材３を排水トラップとして用いているが、例えば通気用弁体３３として用いても良いし、図３３に示したように、オーバーフロー配管内部に設置して、ゴボゴボ音を遮断する為の遮音部材用弁体３３として用いられても良い。また、図３４に示したように、浴室の排水トラップの排水枝管内に設置して、排水枝管の排水の逆流防止弁として用いても良い。
【符号の説明】
【００３１】
１      配管（管体）
２      継ぎ手部材
２２    ケーシング
２２１  下面部
２３    流入部
２４    流出部
３      自封式弁部材
３１    開口部
３２    底面部
３３    弁体
３４    当接面
３５    取付部
３６    傾斜面
３７    溝部
【図１】
2014105719.tif 000003
【図２】
2014105719.tif 000004
【図３】
2014105719.tif 000005
【図４】
2014105719.tif 000006
【図５】
2014105719.tif 000007
【図６】
2014105719.tif 000008
【図７】
2014105719.tif 000009
【図８】
2014105719.tif 000010
【図９】
2014105719.tif 000011
【図１０】
2014105719.tif 000012
【図１１】
2014105719.tif 000013
【図１２】
2014105719.tif 000014
【図１３】
2014105719.tif 000015
【図１４】
2014105719.tif 000016
【図１５】
2014105719.tif 000017
【図１６】
2014105719.tif 000018
【図１７】
2014105719.tif 000019
【図１８】
2014105719.tif 000020
【図１９】
2014105719.tif 000021
【図２０】
2014105719.tif 000022
【図２１】
2014105719.tif 000023
【図２２】
2014105719.tif 000024
【図２３】
2014105719.tif 000025
【図２４】
2014105719.tif 000026
【図２５】
2014105719.tif 000027
【図２６】
2014105719.tif 000028
【図２７】
2014105719.tif 000029
【図２８】
2014105719.tif 000030
【図２９】
2014105719.tif 000031
【図３０】
2014105719.tif 000032
【図３１】
2014105719.tif 000033
【図３２】
2014105719.tif 000034
【図３３】
2014105719.tif 000035
【図３４】
2014105719.tif 000036
【図３５】
2014105719.tif 000037
【図３６】
2014105719.tif 000038
【図３７】
2014105719.tif 000039